(57)【要約】      （修正有）【課題】簡易な構造で人に必要な浮力及び密着性を確保できるループ型浮力補助具を提供する。【解決手段】断強度の高いロープ４を、１本の筒状の四角柱の布の中の中心に這わせて、７つに分割した長方形のウレタンフォーム２を、その筒状の布の中へ一束ずつ収納する際に布の上からプラスチックリング３で収斂させ、ロープ及び筒状の布の端を結束してループ状とし、調整可能なバックル６を縫製により取りつけた平織りベルト５をループ状となった浮力体に、縦方向へ平織りベルトを１本、横方向へ平織りベルト２本を十字状に取り付けた構造によって、人体に着用したときに密着性を確保し、一般成人の浮力補助具として必要十分な浮力及び破断強度を確保する。【選択図】図１
0003202494.tif 000002
【実用新案登録請求の範囲】
【請求項１】
分割した直方体のウレタンフォーム（浮力体）を１本の筒状の四角柱の布に入れた浮力補助具。浮力体を分割させ、分割させた浮力体が移動できないようにすることで、人体に直用したときに密着性が確保できる。
【請求項２】
分割した直方体のウレタンフォーム（浮力体）を１本の筒状の四角柱の布に入れる際に、それぞれの浮力体の間をリングで収斂させた浮力補助具。分割した長方形の浮力体が、筒状の布の中で移動不可能になることで、人体に着用したときに安定した浮力を確保できる。
【請求項３】
分割した長方形の浮力体（ウレタンフォーム）を１本の筒状の四角柱の布にプラスチックリングで収斂させながら収納する際に、筒の中心に破断強度の高い直径６ｍｍのポリプロピレイン・ロープを這わせてロープ及び筒状の布の始点と終点及びを結束した浮力補助具。簡易な構造でありながら、ループの中心にロープを這わせることで、浮力補助具に必要な破断強度を確保できる。
【請求項４】
ループ型の浮力体に十字状に取り付けた平織ベルトで人体に固定する浮力補助具。ループ型の浮力体に十字状に取り付けた平織ベルトで人体に固定できない構造体を、縦方向（１２時から６時方向）に１本、横方向（９時から３時  ８時から４時）に２本、調節可能なバックルを取り付けた平織ベルトをつけることで、浮力補助具に必要な密着性を確保できる。
【考案の詳細な説明】
【技術分野】
【０００１】この発明は、簡易な構造体により浮力を補助するために作られたものである。
【背景技術】
【０００２】自然体験活動の普及に伴い、水辺での体験活動現場ではライフジャケットの着用は一般化しつつあるが、さらに広く普及させることを目的に簡易な構造体による浮力体を開発した。
【先行技術文献】
【特許文献】
【０００３】
【特許文献１】不明
【非特許文献】
【０００４】
【非特許文献１】なし
【考案の概要】
【考案が解決しようとする課題】
【０００５】  毎年各地で水難事故が発生している。事故防止のためにライフジャケットの重要性が徐々に認知されているが、ジャケット型の浮力補助具では、▲１▼利用時以外の収納場所、▲２▼着用時の圧迫感、▲３▼価格的制約、▲４▼デザイン等の要因から、一般化するには、なお多くの時間がかかるであろうことが想定されている。かねてからジャケット型以外で構造の簡易な浮力補助具の開発が求められていた。
【課題を解決するための手段】
【０００６】  本方式では、７つの長方形のウレタンフォームの束をループ状につなぎ、リュックサックを背負う要領で肩に掛け、ループに十字に付属する平織ベルトで背面と腹面で体に固定する。ループ型という簡易な構造体でありながら、平織ベルトで体に固定でき、胸部を圧迫することなく呼吸を確保できる浮力補助具としている。利用時以外の収納時には、収納場所の形状に合わせて柔軟に形を変更できる。また、簡易な構造体であるために、製造コストを抑えることができる。また、水着等のファッションを隠す面積がすくないために、デザインを重視する層への普及も可能となる。
【考案の効果】
【０００７】  当該発明により、これまでライフジャケットを利用していない人たちにも、手軽に利用できる浮力補助具を提供することができるようになる。そのことで水難事故防止により貢献できる。【０００８】ループ状の浮力体の内部に、破断強度１０００Ｎ以上のロープで繋いでいる。
【図面の簡単な説明】
【０００９】
【図１】この発明の一実施形態を示す図である。
【図２】この発明の一実施形態を示す図である。
【考案を実施するための形態】
【００１０】  この発明の一実施形態を、図１に示す。
【００１１】  ループ型で、且つループを構成する長方形のウレタンフォームが人体に合わせて柔軟に変形することで、人体へ密着しやすい構造としている。
【００１２】  プラスチックバックルで長さ調節を可能にした平織ベルトをループ型浮力体に十字状につけることで、人体への密着度を向上し、水域での呼吸確保に必要不可欠な浮力を確保する。
【産業上の利用可能性】
【００１３】本考案は、ループ型浮力補助具を製造する産業で利用される。
【符号の説明】
【００１４】  １  ループ型浮力補助本体
２  直方体ウレタンフォーム
３  収斂用プラスチックリング
４  軸ロープ
５  調整用平織ベルト
６  調節用バックル
【図１】
0003202494.tif 000003
【図２】
0003202494.tif 000004
【手続補正書】
【提出日】平成27年5月27日(2015.5.27)
【手続補正２】
【補正対象書類名】実用新案登録請求の範囲
【補正対象項目名】全文
【補正方法】変更
【補正の内容】
【実用新案登録請求の範囲】
【請求項１】
断強度の高い直径０．６ｃｍのナイロン・ロープを、１本の筒状の四角柱の布の中の中心に這わせて、７つに分割した長方形のウレタンフォーム（縦３４ｃｍ横８．５ｃｍ厚さ６ｃｍ×１束、縦２０ｃｍ横６．５ｃｍ厚さ６ｃｍ×６束）を、その筒状の布の中へ一束ずつ収納する際に布の上から直径１．５ｃｍのプラスチックリング等で収斂させ、ロープ及び筒状の布の端を結束してループ状とし、調整可能なバックルを縫製により取りつけた平織りベルトをループ状となった浮力体に十字状（縦方向の平織りベルト幅２．５ｃｍを１本、横方向の平織りベルト幅２ｃｍを２本）に取り付けた構造によって、人体に着用したときに密着性を確保し、一般成人の浮力補助具として必要十分な浮力及び破断強度を確保する浮力補助具。
【手続補正書】
【提出日】平成27年8月31日(2015.8.31)
【手続補正１】
【補正対象書類名】実用新案登録請求の範囲
【補正対象項目名】全文
【補正方法】変更
【補正の内容】
【実用新案登録請求の範囲】
【請求項１】
断強度の高い直径０．６ｃｍのナイロン・ロープを、１本の筒状の四角柱の布の中の中心に這わせて、７つに分割した長方形のウレタンフォーム（縦３４ｃｍ横８．５ｃｍ厚さ６ｃｍ×１束、縦２０ｃｍ横６．５ｃｍ厚さ６ｃｍ×６束）を、その筒状の布の中へ一束ずつ収納する際に布の上からプラスチックリングで収斂させ、ロープ及び筒状の布の端を結束してループ状とし、調整可能なバックルを縫製により取りつけた平織りベルトをループ状となった浮力体に十字状（縦方向の平織りベルト幅２．５ｃｍを１本、横方向の平織りベルト幅２ｃｍを２本）に取り付けた構造によって、人体に着用したときに密着性を確保し、一般成人の浮力補助具として必要十分な浮力及び破断強度を確保する浮力補助具。
【手続補正書】
【提出日】平成27年11月13日(2015.11.13)
【手続補正１】
【補正対象書類名】実用新案登録請求の範囲
【補正対象項目名】全文
【補正方法】変更
【補正の内容】
【実用新案登録請求の範囲】
【請求項１】
断強度の高い直径０．６ｃｍのナイロン・ロープを、１本の筒状の四角柱の布の中の中心に這わせて、７つに分割した長方形のウレタンフォーム（縦３４ｃｍ横８．５ｃｍ厚さ６ｃｍ×１束、縦２０ｃｍ横６．５ｃｍ厚さ６ｃｍ×６束）を、その筒状の布の中へ一束ずつ収納する際に布の上からプラスチックリングで収斂させ、ロープ及び筒状の布の端を結束してループ状とし、調整可能なバックルを縫製により取りつけた平織りベルトをループ状となった浮力体に、縦方向へ幅２．５ｃｍの平織りベルトを１本、横方向へ幅２ｃｍの平織りベルト２本を十字状に取り付けた構造によって、人体に着用したときに密着性を確保し、一般成人の浮力補助具として必要十分な浮力及び破断強度を確保する浮力補助具。